【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
タイミング同期信号（ＴＳＳ）と、プライマリ同期信号（ＰＳＳ）と、セカンダリ同期信号（ＳＳＳ）とを含む同期信号（ＳＳ）ブロックを受信すること、前記ＴＳＳは、ＳＳブロックインデックスを搬送するために前記ＴＳＳがＳＳブロックごとに変更するように前記ＳＳブロックに関連する前記ＳＳブロックインデックスに少なくとも部分的に基づく、と、
前記ＳＳブロックインデックスに少なくとも部分的に基づいて、ブロードキャストチャネル送信時間間隔（ＢＣＨ  ＴＴＩ）内の前記ＳＳブロックのタイミングを決定することと、
同じ遅延拡散、ドップラー拡散、またはドップラーシフトを有する前記ＳＳブロック上で同期信号を推定することによって、前記ＳＳＳに少なくとも部分的に基づいて前記ＴＳＳを復調することと
を備える、方法。
【請求項２】
前記ＴＳＳの波形シグネチャにおいて、または前記ＴＳＳ中の少なくとも１つの変調シンボルにおいて符号化された前記ＳＳブロックインデックスを受信することをさらに備える、
請求項１に記載の方法。
【請求項３】
前記ＳＳブロックインデックスに少なくとも部分的に基づいて、前記ＳＳブロックが受信されるビームを識別することをさらに備える、
請求項１に記載の方法。
【請求項４】
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
請求項１に記載の方法。
【請求項５】
前記ＳＳブロックは、物理ブロードキャストチャネル（ＰＢＣＨ）をさらに含み、前記方法は、
前記ＳＳＳに少なくとも部分的に基づいて前記ＰＢＣＨを復調することをさらに備える、
請求項１に記載の方法。
【請求項６】
ユーザ機器（ＵＥ）におけるワイヤレス通信のための装置であって、
タイミング同期信号（ＴＳＳ）と、プライマリ同期信号（ＰＳＳ）と、セカンダリ同期信号（ＳＳＳ）とを含む同期信号（ＳＳ）ブロックを受信するための手段、前記ＴＳＳは、ＳＳブロックインデックスを搬送するために前記ＴＳＳがＳＳブロックごとに変更するように前記ＳＳブロックに関連する前記ＳＳブロックインデックスに少なくとも部分的に基づく、と、
前記ＳＳブロックインデックスに少なくとも部分的に基づいて、ブロードキャストチャネル送信時間間隔（ＢＣＨ  ＴＴＩ）内の前記ＳＳブロックのタイミングを決定するための手段と、
同じ遅延拡散、ドップラー拡散、またはドップラーシフトを有する前記ＳＳブロック上で同期信号を推定することによって、前記ＳＳＳに少なくとも部分的に基づいて前記ＴＳＳを復調するための手段と
を備える、装置。
【請求項７】
ユーザ機器（ＵＥ）におけるワイヤレス通信のための方法であって、
タイミング同期信号（ＴＳＳ）と物理ブロードキャストチャネル（ＰＢＣＨ）とを受信すること、前記ＴＳＳは、ブロードキャストチャネル送信時間間隔（ＢＣＨ  ＴＴＩ）内の前記ＴＳＳのタイミングに少なくとも部分的に基づく、と、
前記ＢＣＨ  ＴＴＩ内の前記ＴＳＳの前記タイミングを決定することと、
同じ遅延拡散、ドップラー拡散、またはドップラーシフトを有する前記ＳＳブロック上で同期信号を推定することによって、前記ＴＳＳに少なくとも部分的に基づいて前記ＰＢＣＨを復調することと
を備える、方法。
【請求項８】
前記ＴＳＳと前記ＰＢＣＨとを含む同期信号（ＳＳ）ブロックを受信すること、ここにおいて、前記ＴＳＳは、、ＳＳブロックインデックスを搬送するために前記ＴＳＳがＳＳブロックごとに変更するように前記ＳＳブロックに関連する前記ＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定することと
をさらに備える、請求項７に記載の方法。
【請求項９】
前記ＴＳＳと前記ＰＢＣＨとを受信することは、
前記ＰＢＣＨが受信される１つまたは複数の周波数サブキャリアの第２のセットと重複する１つまたは複数の周波数サブキャリアの第１のセット上で前記ＴＳＳを受信することを備え、
前記１つまたは複数の周波数サブキャリアの第１のセットは、前記１つまたは複数の周波数サブキャリアの第２のセットとは異なる、
請求項８に記載の方法。
【請求項１０】
前記ＴＳＳと前記ＰＢＣＨとを受信することは、
前記ＰＢＣＨの少なくとも一部分と周波数分割多重化された前記ＴＳＳを受信することを備える、
請求項９に記載の方法。
【請求項１１】
前記ＴＳＳと前記ＰＢＣＨとを受信することは、
前記ＰＢＣＨが受信される１つまたは複数の周波数サブキャリアの第２のセットとインターリーブされた１つまたは複数の周波数サブキャリアの第１のセット上で前記ＴＳＳを受信することを備える、
請求項８に記載の方法。
【請求項１２】
前記ＳＳブロックは、プライマリ同期信号（ＰＳＳ）とセカンダリ同期信号（ＳＳＳ）とをさらに含み、前記ＴＳＳと、前記ＰＳＳと、前記ＳＳＳと、前記ＰＢＣＨとを受信することは、
前記インターリーブされたＴＳＳおよびＰＢＣＨと周波数分割多重化された前記ＰＳＳおよび前記ＳＳＳを受信することを備える、
請求項１１に記載の方法。
【請求項１３】
前記ＴＳＳの波形シグネチャにおいて、または前記ＴＳＳ中の少なくとも１つの変調シンボルにおいて符号化された前記ＳＳブロックインデックスを受信することをさらに備える、
請求項８に記載の方法。
【請求項１４】
ユーザ機器（ＵＥ）におけるワイヤレス通信のための装置であって、前記装置は、
タイミング同期信号（ＴＳＳ）と物理ブロードキャストチャネル（ＰＢＣＨ）とを受信するための手段、前記ＴＳＳは、ブロードキャストチャネル送信時間間隔（ＢＣＨ  ＴＴＩ）内の前記ＴＳＳのタイミングに少なくとも部分的に基づく、と、
前記ＢＣＨ  ＴＴＩ内の前記ＴＳＳの前記タイミングを決定するための手段と、
同じ遅延拡散、ドップラー拡散、またはドップラーシフトを有する前記ＳＳブロック上で同期信号を推定することによって、前記ＴＳＳに少なくとも部分的に基づいて前記ＰＢＣＨを復調するための手段と
を備える、装置。
【請求項１５】
実行されると、コンピュータに、請求項１乃至５または７乃至１３のいずれか１項に従う方法を実行させるプログラムコードを備える、コンピュータ可読媒体を備えるコンピュータプログラム製品。
【手続補正２】
【補正対象書類名】明細書
【補正対象項目名】０２６７
【補正方法】変更
【補正の内容】
【０２６７】
[0287]本開示についての以上の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の技法に合致する最も広い範囲を与えられるべきである。
以下に、本願出願の当初の特許請求の範囲に記載された発明を付記する。
［Ｃ１］
ユーザ機器（ＵＥ）におけるワイヤレス通信のための方法
タイミング同期信号（ＴＳＳ）と、プライマリ同期信号（ＰＳＳ）と、セカンダリ同期信号（ＳＳＳ）とを含む同期信号（ＳＳ）ブロックを受信すること、前記ＴＳＳは、前記ＳＳブロックに関連するＳＳブロックインデックスに少なくとも部分的に基づく、と、
前記ＳＳブロックインデックスに少なくとも部分的に基づいて、ブロードキャストチャネル送信時間間隔（ＢＣＨ  ＴＴＩ）内の前記ＳＳブロックのタイミングを決定することと、
前記ＳＳＳに少なくとも部分的に基づいて前記ＴＳＳを復調することと
を備える、方法。
［Ｃ２］
前記ＴＳＳの波形シグネチャにおいて、または前記ＴＳＳ中の少なくとも１つの変調シンボルにおいて符号化された前記ＳＳブロックインデックスを受信することをさらに備える、
［Ｃ１］に記載の方法。
［Ｃ３］
前記ＳＳブロックインデックスに少なくとも部分的に基づいて、前記ＳＳブロックが受信されるビームを識別することをさらに備える、
［Ｃ１］に記載の方法。
［Ｃ４］
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
［Ｃ１］に記載の方法。
［Ｃ５］
前記ＳＳブロックは、物理ブロードキャストチャネル（ＰＢＣＨ）をさらに含み、前記方法は、
前記ＳＳＳに少なくとも部分的に基づいて前記ＰＢＣＨを復調することをさらに備える、
［Ｃ１］に記載の方法。
［Ｃ６］
ユーザ機器（ＵＥ）におけるワイヤレス通信のための装置であって、
タイミング同期信号（ＴＳＳ）と、プライマリ同期信号（ＰＳＳ）と、セカンダリ同期信号（ＳＳＳ）とを含む同期信号（ＳＳ）ブロックを受信するための手段、前記ＴＳＳは、前記ＳＳブロックに関連するＳＳブロックインデックスに少なくとも部分的に基づく、と、
前記ＳＳブロックインデックスに少なくとも部分的に基づいて、ブロードキャストチャネル送信時間間隔（ＢＣＨ  ＴＴＩ）内の前記ＳＳブロックのタイミングを決定するための手段と、
前記ＳＳＳに少なくとも部分的に基づいて前記ＴＳＳを復調するための手段と
を備える、装置。
［Ｃ７］
前記ＴＳＳの波形シグネチャにおいて、または前記ＴＳＳ中の少なくとも１つの変調シンボルにおいて符号化された前記ＳＳブロックインデックスを受信するための手段をさらに備える、
［Ｃ６］に記載の装置。
［Ｃ８］
前記ＳＳブロックインデックスに少なくとも部分的に基づいて、前記ＳＳブロックが受信されるビームを識別するための手段をさらに備える、
［Ｃ６］に記載の装置。
［Ｃ９］
前記ＳＳブロックは、物理ブロードキャストチャネル（ＰＢＣＨ）をさらに含み、前記ＰＢＣＨは、前記ＳＳブロックインデックスに少なくとも部分的に基づいて受信され、前記装置は、
前記ＳＳブロックインデックスに少なくとも部分的に基づいて前記ＰＢＣＨを復号するための手段をさらに備える、
［Ｃ６］に記載の装置。
［Ｃ１０］
前記ＳＳブロックは、物理ブロードキャストチャネル（ＰＢＣＨ）をさらに含み、前記装置は、
前記ＳＳＳに少なくとも部分的に基づいて前記ＰＢＣＨを復調するための手段をさらに備える、
［Ｃ６］に記載の装置。
［Ｃ１１］
ユーザ機器（ＵＥ）におけるワイヤレス通信のための方法であって、
タイミング同期信号（ＴＳＳ）と物理ブロードキャストチャネル（ＰＢＣＨ）とを受信すること、前記ＴＳＳは、ブロードキャストチャネル送信時間間隔（ＢＣＨ  ＴＴＩ）内の前記ＴＳＳのタイミングに少なくとも部分的に基づく、と、
前記ＢＣＨ  ＴＴＩ内の前記ＴＳＳの前記タイミングを決定することと、
前記ＴＳＳに少なくとも部分的に基づいて前記ＰＢＣＨを復調することと
を備える、方法。
［Ｃ１２］
前記ＴＳＳと前記ＰＢＣＨとを含む同期信号（ＳＳ）ブロックを受信すること、ここにおいて、前記ＴＳＳは、前記ＳＳブロックに関連するＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定することと
をさらに備える、［Ｃ１１］に記載の方法。
［Ｃ１３］
前記ＴＳＳと前記ＰＢＣＨとを受信することは、
前記ＰＢＣＨが受信される１つまたは複数の周波数サブキャリアの第２のセットと重複する１つまたは複数の周波数サブキャリアの第１のセット上で前記ＴＳＳを受信することを備え、
前記１つまたは複数の周波数サブキャリアの第１のセットは、前記１つまたは複数の周波数サブキャリアの第２のセットとは異なる、
［Ｃ１２］に記載の方法。
［Ｃ１４］
前記ＴＳＳと前記ＰＢＣＨとを受信することは、
前記ＰＢＣＨの少なくとも一部分と周波数分割多重化された前記ＴＳＳを受信することを備える、
［Ｃ１３］に記載の方法。
［Ｃ１５］
前記ＳＳブロックは、プライマリ同期信号（ＰＳＳ）とセカンダリ同期信号（ＳＳＳ）とをさらに含み、前記ＳＳＳと前記ＰＢＣＨとを受信することは、前記ＳＳＳの後に前記ＰＢＣＨの第２の部分を受信することを備える、
［Ｃ１４］に記載の方法。
［Ｃ１６］
前記ＴＳＳと前記ＰＢＣＨとを受信することは、
前記ＰＢＣＨが受信される１つまたは複数の周波数サブキャリアの第２のセットとインターリーブされた１つまたは複数の周波数サブキャリアの第１のセット上で前記ＴＳＳを受信することを備える、
［Ｃ１２］に記載の方法。
［Ｃ１７］
前記ＳＳブロックは、プライマリ同期信号（ＰＳＳ）とセカンダリ同期信号（ＳＳＳ）とをさらに含み、前記ＴＳＳと、前記ＰＳＳと、前記ＳＳＳと、前記ＰＢＣＨとを受信することは、
前記インターリーブされたＴＳＳおよびＰＢＣＨと周波数分割多重化された前記ＰＳＳおよび前記ＳＳＳを受信することを備える、
［Ｃ１６］に記載の方法。
［Ｃ１８］
前記ＴＳＳの波形シグネチャにおいて、または前記ＴＳＳ中の少なくとも１つの変調シンボルにおいて符号化された前記ＳＳブロックインデックスを受信することをさらに備える、
［Ｃ１２］に記載の方法。
［Ｃ１９］
前記ＳＳブロックインデックスに少なくとも部分的に基づいて、前記ＳＳブロックが送信されるビームを識別することをさらに備える、
［Ｃ１２］に記載の方法。
［Ｃ２０］
前記ＰＢＣＨは、前記ＳＳブロックインデックスに少なくとも部分的に基づいて受信され、前記方法は、
前記ＳＳブロックインデックスに少なくとも部分的に基づいて前記ＰＢＣＨを復号することをさらに備える、
［Ｃ１２］に記載の方法。
［Ｃ２１］
前記ＳＳブロックは、プライマリ同期信号（ＰＳＳ）とセカンダリ同期信号（ＳＳＳ）とをさらに含み、前記ＳＳＳは、基地局の物理セル識別情報（ＰＣＩ）に少なくとも部分的に基づく、
［Ｃ１２］に記載の方法。
［Ｃ２２］
前記ＳＳブロックは、プライマリ同期信号（ＰＳＳ）とセカンダリ同期信号（ＳＳＳ）とをさらに含み、前記方法は、
前記ＳＳＳに少なくとも部分的に基づいて前記ＰＢＣＨを復調することをさらに備える、
［Ｃ１２］に記載の方法。
［Ｃ２３］
前記ＴＳＳは、前記ＳＳブロックインデックスを符号化する少なくとも１つの変調シンボルを含み、前記方法は、
前記少なくとも１つの変調シンボルにおいて符号化された前記ＳＳブロックインデックスを復号することをさらに備え、
前記少なくとも１つの変調シンボルが４位相シフトキーイング（ＱＰＳＫ）シンボルを含む、
［Ｃ１２］に記載の方法。
［Ｃ２４］
ユーザ機器（ＵＥ）におけるワイヤレス通信のための装置であって、前記装置は、
タイミング同期信号（ＴＳＳ）と物理ブロードキャストチャネル（ＰＢＣＨ）とを受信するための手段、前記ＴＳＳは、ブロードキャストチャネル送信時間間隔（ＢＣＨ  ＴＴＩ）内の前記ＴＳＳのタイミングに少なくとも部分的に基づく、と、
前記ＢＣＨ  ＴＴＩ内の前記ＴＳＳの前記タイミングを決定するための手段と、
前記ＴＳＳに少なくとも部分的に基づいて前記ＰＢＣＨを復調するための手段と
を備える、装置。
［Ｃ２５］
前記ＴＳＳと前記ＰＢＣＨとを含む同期信号（ＳＳ）ブロックを受信するための手段、ここにおいて、前記ＴＳＳは、前記ＳＳブロックに関連するＳＳブロックインデックスに少なくとも部分的に基づき、前記ＳＳブロックインデックスは、前記ＢＣＨ  ＴＴＩ内の前記ＴＳＳの前記タイミングを示す、と、
前記ＳＳブロックインデックスに少なくとも部分的に基づいて、前記ＢＣＨ  ＴＴＩを用いて前記ＳＳブロックの前記タイミングを決定するための手段と
をさらに備える、［Ｃ２４］に記載の装置。
［Ｃ２６］
前記ＰＢＣＨが受信される１つまたは複数の周波数サブキャリアの第２のセットと重複する１つまたは複数の周波数サブキャリアの第１のセット上で前記ＴＳＳを受信するための手段をさらに備え、
前記１つまたは複数の周波数サブキャリアの第１のセットは、前記１つまたは複数の周波数サブキャリアの第２のセットとは異なる、
［Ｃ２５］に記載の装置。
［Ｃ２７］
前記ＳＳブロックを前記受信するための手段は、
前記ＰＢＣＨの少なくとも一部分と周波数分割多重化された前記ＴＳＳを受信するための手段をさらに備える、
［Ｃ２６］に記載の装置。
［Ｃ２８］
前記ＳＳブロックは、プライマリ同期信号（ＰＳＳ）とセカンダリ同期信号（ＳＳＳ）とをさらに含み、前記ＰＢＣＨの第２の部分は、前記ＳＳＳの後に受信される、
［Ｃ２７］に記載の装置。
［Ｃ２９］
前記ＳＳブロックを前記受信するための手段は、
前記ＰＢＣＨが受信される１つまたは複数の周波数サブキャリアの第２のセットとインターリーブされた１つまたは複数の周波数サブキャリアの第１のセット上で前記ＴＳＳを受信するための手段をさらに備える、
［Ｃ２５］に記載の装置。
［Ｃ３０］
前記ＳＳブロックは、プライマリ同期信号（ＰＳＳ）とセカンダリ同期信号（ＳＳＳ）とをさらに含み、前記装置は、
前記インターリーブされたＴＳＳおよびＰＢＣＨと周波数分割多重化された前記ＰＳＳおよび前記ＳＳＳを受信するための手段をさらに備える、
［Ｃ２９］に記載の装置。
［Ｃ３１］
前記ＳＳブロックを前記受信するための手段は、
前記ＴＳＳの波形シグネチャにおいて、または前記ＴＳＳ中の少なくとも１つの変調シンボルにおいて符号化された前記ＳＳブロックインデックスを受信するための手段をさらに備える、
［Ｃ２５］に記載の装置。
［Ｃ３２］
前記ＳＳブロックインデックスに少なくとも部分的に基づいて、前記ＳＳブロックが送信されるビームを識別するための手段をさらに備える、
［Ｃ２５］に記載の装置。
［Ｃ３３］
前記ＰＢＣＨは、前記ＳＳブロックインデックスに少なくとも部分的に基づいて受信され、前記装置は、
前記ＳＳブロックインデックスに少なくとも部分的に基づいて前記ＰＢＣＨを復号するための手段をさらに備える、
［Ｃ２５］に記載の装置。
［Ｃ３４］
前記ＳＳブロックは、プライマリ同期信号（ＰＳＳ）とセカンダリ同期信号（ＳＳＳ）とをさらに含み、前記ＳＳＳは、基地局の物理セル識別情報（ＰＣＩ）に少なくとも部分的に基づく、
［Ｃ２５］に記載の装置。
［Ｃ３５］
前記ＳＳブロックは、プライマリ同期信号（ＰＳＳ）とセカンダリ同期信号（ＳＳＳ）とをさらに含み、前記装置は、
前記ＳＳＳに少なくとも部分的に基づいて前記ＰＢＣＨを復調するための手段をさらに備える、
［Ｃ２５］に記載の装置。
［Ｃ３６］
前記ＴＳＳは、前記ＳＳブロックインデックスを符号化する少なくとも１つの変調シンボルを含み、前記装置は、
前記少なくとも１つの変調シンボルにおいて符号化された前記ＳＳブロックインデックスを復号するための手段をさらに備え、前記少なくとも１つの変調シンボルは、４位相シフトキーイング（ＱＰＳＫ）シンボルを含む、
［Ｃ２５］に記載の装置。
［Ｃ３７］
同期信号（ＳＳ）ブロックのためにリソースを割り振ることと、
前記ＳＳブロックに関連するＳＳブロックインデックスに少なくとも部分的に基づいてタイミング同期信号（ＴＳＳ）を決定すること、前記ＳＳブロックインデックスがブロードキャストチャネル送信時間間隔（ＢＣＨ  ＴＴＩ）内の前記ＳＳブロックのタイミングを示す、と、
前記ＳＳブロックのために割り振られた前記リソース上で、前記ＴＳＳと、プライマリ同期信号（ＰＳＳ）と、セカンダリ同期信号（ＳＳＳ）とを送信すること、前記ＳＳＳは、前記ＴＳＳと前記ＳＳＳとを送信するために使用される少なくとも１つのポート上で前記ＴＳＳのための復調基準信号（ＤＭＲＳ）として送信される、と
を備える、基地局におけるワイヤレス通信のための方法。
［Ｃ３８］
前記ＴＳＳの波形シグネチャにおいて前記ＳＳブロックインデックスを符号化すること、または前記ＴＳＳ中の少なくとも１つの変調シンボル中に前記ＳＳブロックインデックスを含めること
をさらに備える、［Ｃ３７］に記載の方法。
［Ｃ３９］
前記ＳＳブロックインデックスは、前記ＳＳブロックが送信されるビームをさらに識別する、
［Ｃ３７］に記載の方法。
［Ｃ４０］
前記ＳＳブロックは、物理ブロードキャストチャネル（ＰＢＣＨ）をさらに含み、前記ＰＢＣＨは、前記ＳＳブロックインデックスに少なくとも部分的に基づいて送信される、
［Ｃ３７］に記載の方法。
［Ｃ４１］
前記ＳＳブロックは、物理ブロードキャストチャネル（ＰＢＣＨ）をさらに含み、前記ＳＳＳは、前記ＳＳＳと前記ＰＢＣＨとを送信するために使用される少なくとも１つのポート上で、前記ＰＢＣＨのためのＤＭＲＳとして送信される、
［Ｃ３７］に記載の方法。
［Ｃ４２］
前記ＳＳブロックは、前記ＢＣＨ  ＴＴＩ内に送信される複数のＳＳブロック中の１つのＳＳブロックである、
［Ｃ３７］に記載の方法。
［Ｃ４３］
基地局におけるワイヤレス通信のための装置であって、前記装置は、
同期信号（ＳＳ）ブロックのためにリソースを割り振るための手段と、
前記ＳＳブロックに関連するＳＳブロックインデックスに少なくとも部分的に基づいてタイミング同期信号（ＴＳＳ）を決定するための手段、前記ＳＳブロックインデックスがブロードキャストチャネル送信時間間隔（ＢＣＨ  ＴＴＩ）内の前記ＳＳブロックのタイミングを示す、と、
前記ＳＳブロックのために割り振られた前記リソース上で、前記ＴＳＳと、プライマリ同期信号（ＰＳＳ）と、セカンダリ同期信号（ＳＳＳ）とを送信するための手段、前記ＳＳＳが、前記ＴＳＳと前記ＳＳＳとを送信するために使用される少なくとも１つのポート上で前記ＴＳＳのための復調基準信号（ＤＭＲＳ）として送信される、と
を備える、装置。
［Ｃ４４］
前記ＴＳＳの波形シグネチャにおいて前記ＳＳブロックインデックスを符号化するための手段、または前記ＴＳＳ中の少なくとも１つの変調シンボル中に前記ＳＳブロックインデックスを含める、
をさらに備える、［Ｃ４３］に記載の装置。
［Ｃ４５］
前記ＳＳブロックインデックスは、前記ＳＳブロックが送信されるビームをさらに識別する、
［Ｃ４３］に記載の装置。
［Ｃ４６］
基地局におけるワイヤレス通信のための方法であって、
ブロードキャストチャネル送信時間間隔（ＢＣＨ  ＴＴＩ）内にタイミング同期信号（ＴＳＳ）と物理ブロードキャストチャネル（ＰＢＣＨ）とのためにリソースを割り振ることと、
前記ＢＣＨ  ＴＴＩ内の前記ＴＳＳのタイミングに少なくとも部分的に基づいて前記ＴＳＳを決定することと、
前記ＴＳＳと前記ＰＢＣＨとのために割り振られた前記リソース上で、前記ＴＳＳと前記ＰＢＣＨとを送信すること、前記ＴＳＳは、前記ＴＳＳと前記ＰＢＣＨとを送信するために使用される少なくとも１つのポート上で前記ＰＢＣＨのための復調基準信号（ＤＭＲＳ）として送信される、と
を備える、方法。
［Ｃ４７］
同期信号（ＳＳ）ブロックのためにリソースを割り振ることをさらに備え、前記ＳＳブロックのために割り振られる前記リソースは、前記ＴＳＳと前記ＰＢＣＨとのために割り振られた前記リソースを含み、
前記ＴＳＳの前記タイミングは、前記ＳＳブロックに関連するＳＳブロックインデックスに少なくとも部分的に基づき、前記ＳＳブロックインデックスが前記ＢＣＨ  ＴＴＩ内の前記ＴＳＳの前記タイミングを示し、前記ＴＳＳと前記ＰＢＣＨとは、前記ＳＳブロックを送信することによって送信される、
［Ｃ４６］に記載の方法。
［Ｃ４８］
前記ＴＳＳと前記ＰＢＣＨとを送信することは、
前記ＰＢＣＨが送信される１つまたは複数の周波数サブキャリアの第２のセットと重複する１つまたは複数の周波数サブキャリアの第１のセット上で前記ＴＳＳを送信することを備え、
前記１つまたは複数の周波数サブキャリアの第１のセットは、前記１つまたは複数の周波数サブキャリアの第２のセットとは異なる、
［Ｃ４７］に記載の方法。
［Ｃ４９］
前記ＴＳＳと前記ＰＢＣＨとを送信することは、
前記ＴＳＳと前記ＰＢＣＨの少なくとも一部分とを周波数分割多重化することを備える、
［Ｃ４７］に記載の方法。
［Ｃ５０］
前記ＳＳブロックは、プライマリ同期信号（ＰＳＳ）とセカンダリ同期信号（ＳＳＳ）とをさらに含み、前記ＳＳＳと前記ＰＢＣＨとを送信することは、前記ＳＳＳの後に前記ＰＢＣＨの第２の部分を送信することを備える、
［Ｃ４９］に記載の方法。
［Ｃ５１］
前記ＴＳＳと前記ＰＢＣＨとを送信することは、
前記ＰＢＣＨが送信される１つまたは複数の周波数サブキャリアの第２のセットとインターリーブされた１つまたは複数の周波数サブキャリアの第１のセット上で前記ＴＳＳを送信することを備える、
［Ｃ４７］に記載の方法。
［Ｃ５２］
前記ＳＳブロックは、プライマリ同期信号（ＰＳＳ）とセカンダリ同期信号（ＳＳＳ）とをさらに含み、前記ＴＳＳと、前記ＰＳＳと、前記ＳＳＳと、前記ＰＢＣＨとを送信することは、
前記ＰＳＳと前記ＳＳＳとを、前記インターリーブされたＴＳＳおよびＰＢＣＨと周波数分割多重化することを備える、
［Ｃ５１］に記載の方法。
［Ｃ５３］
前記ＴＳＳの波形シグネチャにおいて前記ＳＳブロックインデックスを符号化すること、または前記ＴＳＳ中の少なくとも１つの変調シンボル中に前記ＳＳブロックインデックスを含めること
をさらに備える、［Ｃ４７］に記載の方法。
［Ｃ５４］
前記ＳＳブロックインデックスは、前記ＳＳブロックが送信されるビームをさらに識別する、
［Ｃ４７］に記載の方法。
［Ｃ５５］
前記ＰＢＣＨは、前記ＳＳブロックインデックスに少なくとも部分的に基づいて送信される、
［Ｃ４７］に記載の方法。
［Ｃ５６］
前記ＳＳブロックは、プライマリ同期信号（ＰＳＳ）とセカンダリ同期信号（ＳＳＳ）とをさらに含み、前記ＳＳＳは、前記基地局の物理セル識別情報（ＰＣＩ）に少なくとも部分的に基づいて決定される、
［Ｃ４７］に記載の方法。
［Ｃ５７］
前記ＳＳブロックは、プライマリ同期信号（ＰＳＳ）とセカンダリ同期信号（ＳＳＳ）とをさらに含み、前記ＳＳＳは、前記ＳＳＳと前記ＰＢＣＨとを送信するために使用される少なくとも１つのポート上で、前記ＰＢＣＨのための追加のＤＭＲＳとして送信される、
［Ｃ４７］に記載の方法。
［Ｃ５８］
基地局におけるワイヤレス通信のための装置であって、前記装置は、
ブロードキャストチャネル送信時間間隔（ＢＣＨ  ＴＴＩ）内にタイミング同期信号（ＴＳＳ）と物理ブロードキャストチャネル（ＰＢＣＨ）とのためにリソースを割り振るための手段と、
前記ＢＣＨ  ＴＴＩ内の前記ＴＳＳのタイミングに少なくとも部分的に基づいて前記ＴＳＳを決定するための手段と、
前記ＴＳＳと前記ＰＢＣＨとのために割り振られた前記リソース上で、前記ＴＳＳと前記ＰＢＣＨとを送信するための手段、前記ＴＳＳは、前記ＴＳＳと前記ＰＢＣＨとを送信するために使用される少なくとも１つのポート上で前記ＰＢＣＨのための復調基準信号（ＤＭＲＳ）として送信される、と
を備える、装置。
［Ｃ５９］
同期信号（ＳＳ）ブロックのためにリソースを割り振るための手段をさらに備え、前記ＳＳブロックのために割り振られる前記リソースは、前記ＴＳＳと前記ＰＢＣＨとのために割り振られた前記リソースを含み、
前記ＴＳＳの前記タイミングは、前記ＳＳブロックに関連するＳＳブロックインデックスに少なくとも部分的に基づき、前記ＳＳブロックインデックスが前記ＢＣＨ  ＴＴＩ内の前記ＴＳＳの前記タイミングを示し、前記ＴＳＳと前記ＰＢＣＨとが前記ＳＳブロックを送信することによって送信される、
［Ｃ５８］に記載の装置。
［Ｃ６０］
前記ＴＳＳと前記ＰＢＣＨとを前記送信するための手段は、
前記ＰＢＣＨが送信される１つまたは複数の周波数サブキャリアの第２のセットと重複する１つまたは複数の周波数サブキャリアの第１のセット上で前記ＴＳＳを送信するための手段をさらに備え、
前記１つまたは複数の周波数サブキャリアの第１のセットは、前記１つまたは複数の周波数サブキャリアの第２のセットとは異なる、
［Ｃ５９］に記載の装置。